(57)【要約】【課題】保冷カーテン間の隙間や保冷カーテンとショーケース側板との間の隙間を完全に塞ぎ、冷気の漏洩防止を図り、特に、ショーケースの下方における封止性の完全化を図り、かつ操作性、保冷性、コンパクト化と低コスト化が図れる保冷シャッタ装置を提供する。【解決手段】保冷カーテン３，３間の隙間１７や保冷カーテン３とショーケース側板１８との間の隙間１９は封止膜１，１ａにより封止される。この封止膜１，１ａは障害物のないショーケース５の下部の位置に配置されている隙間封止手段２の巻回ローラ２５から引き出されて保冷カーテン３やショーケース側板１８に連結されるものからなる。連結は封止膜１，１ａを手で保冷カーテン３やショーケース側板１８に押圧するだけでよく、連結性の大幅な向上が図れる。【選択図】　　　図１
2004097578.tif 000002
【特許請求の範囲】
【請求項１】
食品陳列用冷凍冷蔵多段ショーケース（以下、ショーケースと略称する）の前面の開口部の上部に配置されるローラ機構部とこれにより巻き出し巻き込みされて前記開口部を開閉する保冷カーテンとを備える保冷シャッタ部と、隣接する前記保冷カーテン間及び前記保冷カーテンとショーケース側板との間の隙間を封止する隙間封止手段とを有する保冷シャッタ装置であって、前記隙間封止手段は、前記隙間を覆うと共に前記保冷カーテンの側縁や前記ショーケース側板に固着した連結部材を介して着離可能に連結される封止膜と、前記隙間のショーケースの下部に配置され、前記封止膜を巻き出し巻き込むための巻回ローラとを有するものからなることを特徴とする保冷シャッタ装置。
【請求項２】
前記保冷カーテン間の隙間を封止する封止膜は、その隙間を封止する時、ショーケース下部に配置された前記巻回ローラから巻き出され、保冷カーテンの側縁表面に重ね合わせ連結部材を介して連結することを特徴とする請求項１に記載の保冷シャッタ装置。
【請求項３】
前記保冷カーテンの側縁とショーケース側板との間の隙間を封止する封止膜は、その隙間を封止する時、ショーケース下部に配置された前記巻回ローラから巻き出され、保冷カーテンの側縁表面及びショーケース側板に重ね合わせ連結部材を介して連結することを特徴とする請求項１に記載の保冷シャッタ装置。
【発明の詳細な説明】
【０００１】
【発明の属する技術分野】
本発明は、デパートや食品スーパマーケット等のショーケースの前面開口部や隙間を夜間や休日などの仕事をやらない閉店時に封止する保冷シャッタ装置に係り、特に、簡便構造からなり、隙間の封止が確実に、かつ簡単に行われ、外観美もよい保冷シャッタ装置に関する。
【０００２】
【従来の技術】
デパートや食品スーパマーケット等には冷凍品を陳列するための比較的大きなショーケースが配置され、このショーケースは複数個のものが隣接して一列に配置される場合が多い。また、ショーケースの両端にはショーケース側板が配置されショーケースの両側を保持している。このショーケースにはその前面に開口部があり、開店時にはこの開口部はオープン状態にあり、自由に冷凍品を出入し得るようにしている。一方、閉店時（夜間や休日）にはショーケース内の冷気が漏れることを防止して省電力化を図る必要がある。そのため、従来技術でもこの開口部を閉止するための保冷シャッタ装置が用いられている。従来の保冷シャッタ装置としては、薄い合成樹脂のナイトカーテンや限られた範囲であるがスラット式の保冷シャッタ装置が用いられていた。
【０００３】
【発明が解決しようとする課題】
主に冷蔵用のショーケースの開口部を閉止するために使用されているナイトカーテンは、安価であるがそれ自体の断熱性能が悪く、かつナイトカーテン相互間や特に下部の隙間が多く保冷性が悪い問題点がある。ナイトカバー（ナイトカーテン）相互間の隙間を塞ぐ公知技術として特開平９−９６４８６号があるが、このものは隙間を塞ぐ短尺ナイトカバーを上方から引き出す構造からなり、開口部を塞いでいる長尺ナイトカバーと短尺ナイトカバーとが短尺ナイトカバーの引き出し時に互いに近接し得るように短尺ナイトカバーの引出しフック位置を調整する構造に特徴を有するものである。しかしながら、この構造でも隙間の封止性は完全でなく、特に構造的に下部の隙間の封止性が十分でない問題点がある。また、ナイトカバーとショーケース側板との間の隙間も封止されない問題点がある。別の公知技術として、実開昭５８−９３７７７号公報があるが、これは保冷シャッタの端縁を若干重ね合わせることによって、保冷カーテン（開閉シート）間に隙間を生ぜしめないようにするもので、隣接する保冷シャッタの軸を上下にずらせ、かつ両軸端を上下一体の軸受部に保持することを特徴としている。以上の構造のため保冷カーテン間の冷気漏洩は避けられず、また、保冷カーテンとショーケース側板との間の隙間も封止されない。また、更に軸受部が通常の２倍程度の大きさになり、大きな設置スペースを必要とし、又ショーケース上部の外観を損う問題点がある。一方、スラット式の保冷シャッタ装置は断熱性能が高く保冷シャッタ間及び保冷シャッタとショーケース側板間の隙間も塞がれているため保冷性はよいが重量が重く、操作性も悪くガイドレールも必要となり高価格のものとなる問題点がある。また、故障も起き易く保守性に劣る。
【０００４】
本発明は、以上の問題点を解決するために発明されたものであり、小型，軽量，安価で操作性，取扱性がよく、静粛であり、外観美もよく、上下の全体にわたり隙間の封止性の大幅な向上が図れる保冷シャッタ装置を提供することを目的とする。
【０００５】
【課題を解決するための手段】
本発明は、以上の目的を達成するために、請求項１の保冷シャッタ装置は、食品陳列用冷凍冷蔵多段ショーケース（以下、ショーケースと略称する）の前面の開口部の上部に配置されるローラ機構部とこれにより巻き出し巻き込みされて前記開口部を開閉する保冷カーテンとを備える保冷シャッタ部と、隣接する前記保冷カーテン間及び前記保冷カーテンとショーケース側板との間の隙間を封止する隙間封止手段とを有する保冷シャッタ装置であって、前記隙間封止手段は、前記隙間を覆うと共に前記保冷カーテンの側縁や前記ショーケース側板に固着した連結部材を介して着離可能に連結される封止膜と、前記隙間のショーケースの下部に配置され、前記封止膜を巻き出し巻き込むための巻回ローラとを有するものからなることを特徴とする。本発明の特徴は、保冷カーテンと分離している封止膜を用い、この封止膜の巻き出し巻き込みのための巻回ローラをショーケース下部に配置した点にある。これにより、開口部の上部には各種の機構部が配置されているが下部には何にもなく、配置スペースを確保する煩雑さから開放され、自由度の高い配置ができ保守性が大幅に向上することができる。これにより、保冷カーテンや封止膜の設計，製作の容易化が図れる。封止膜は必要時に下部にある巻回ローラから巻き出されて、保冷カーテンやショーケース側板に連結部材を介して連結され、その連結も手動の押圧により行われ、極めて簡単で、かつ確実な連結ができる。即ち、封止膜は保冷カーテンに重ね合わされ密着するため、隙間からの漏れが完全に防止され封止性の大幅な向上が図れる。特に、封止膜は下部から所定の高さまで引き上げられ保冷カーテンに連結されるため、冷気漏洩が発生し易い下方側の封止がより完全に行われ、この部分からの漏れが大幅に改善される。また、封止膜は保冷カーテンに重ね合わされ密着するため外観美もよい。また、全体がコンパクトにまとめることができる。
【０００６】
また、本発明の請求項２の保冷シャッタ装置における封止膜は保冷カーテン間の隙間を封止する時、ショーケース下部に配置された巻回ローラから巻き出され、保冷カーテンの側縁表面に重ね合わせ連結部材を介して連結することを特徴とする。封止膜は保冷カーテンの側縁表面に重ね合わせ連結部材を介して連結されるため、封止性、取付性の向上が図れると共に外観美の向上が図れる。
【０００７】
また、本発明の請求項３の保冷シャッタ装置における封止膜は、保冷カーテンの側縁とショーケース側板との間の隙間を封止する時、ショーケース下部に配置された巻回ローラから巻き出され、保冷カーテンの側縁表面及びショーケース側板に重ね合わせ連結部材を介して連結することを特徴とする。この場合の封止膜も前記請求項２における封止膜と同様に保冷カーテンの側縁表面及びショーケース側板に重ね合わせ連結部材を介して連結されるため、封止性、取付性の向上が図れると共に外観美の向上が図れる。
【０００８】
前記したように、本発明の封止膜の構造によるとショーケースの下部の隙間の封止が従来のものに較べて確実に行われ、特に、下部の冷気漏洩が多く生じ易いショーケースに対してはこの構造は極めて効果的である。また、前記のように、巻回ローラは開口部の下部に配置されているため、保冷シャッタ部や照明装置等が密集する場所を避けて障害物のない空間において自由に前記隙間封止手段を配置することができ、取付性や保守性が向上すると共に設計の自由度が向上し、全体構造としてもコンパクト化が図れる。また、隙間の封止性向上により大幅な省電力化が図れる。
【０００９】
【発明の実施の形態】
以下、本発明の保冷シャッタ装置の実施の形態を図面を参照して詳述する。図１は本実施の形態の保冷シャッタ装置の全体構造を示す正面図であり、図２はその一部側面図である。なお、本実施の形態では２台のショーケース５，５を配置した場合について説明しているが、勿論これに限定するものではない。本発明の保冷シャッタ装置は、大別して保冷シャッタ部と隙間封止手段とからなるが、まず保冷シャッタ部を説明する。
【００１０】
図１，図２に示すように、保冷シャッタ部４はショーケース５の前面の開口部の上部の前方に配置されるローラ機構部７とこれにより巻き出し巻き込みされる保冷カーテン３等とからなる。保冷カーテン３は保冷性を向上するため、例えば、金属膜や中間断熱空気層及び熱容量の小さい合成樹脂皮膜や布層を積層したものからなり、前記の金属膜をショーケース５の内方に向けて配置したものからなる。これにより、結露防止性の向上や保冷性，断熱性の向上を図るようにしている。勿論、保冷カーテン３の構造は前記のものに限らず、天然系の繊維や布材等も使用される。
【００１１】
図２に示すように、ローラ機構部７は、ショーケース５の前面の開口部の上部の前方に固定されるブラケット６と、これに枢支される巻回ローラ８と、巻回ローラ８を回転駆動する図略の駆動手段と、巻回ローラ８を覆うケース９等とからなる。保冷カーテン３は巻回ローラ８により巻回されて上下動するが保冷カーテン３で開口部１６を閉止した場合には、図２に示すように保冷カーテン３は係止手段１０に係着して保持される。
【００１２】
また、図１に示すように、保冷カーテン３の中央位置には上下方向に沿って案内線１１が設けられ、これと連設する保冷シャッタ部４のケース９の表面やショーケース５の下部の手摺部１２の表面には案内線１１と合致する誘導線１３，１４が設けられている。また、保冷カーテン３の下部の案内線１１に沿う位置には保冷カーテン３を操作するためのプルポール１５が設けられている。このプルポール１５を用いて保冷カーテン３は巻回ローラ８から巻き出されて下降し、案内線１１を下方の誘導線１４に合致させながら前記のように係止手段１０に係着されて保持される。また、開放時には案内線１１を上方の誘導線１３に合致させながら巻回ローラ８を駆動して保冷カーテン３に巻き込むことにより円滑な巻回が行われる。
【００１３】
次に、隙間封止手段を説明する。保冷カーテン３の側端縁間には若干の隙間１７がどうしても生ずる。また、保冷カーテン３のもう一方の側端縁とショーケース側板１８との間にも隙間１９が生ずる。従って、保冷カーテン３のみで開口部を塞いでもショーケース５の保冷の完全化が図れない。そのため前記の隙間封止手段が適用される。
【００１４】
隙間封止手段は、封止膜１，１ａとこれを巻き出し巻き込むための巻回ローラ２５とからなる。本実施の形態の場合は図１に示す保冷カーテン３，３の側端縁間の隙間１７を塞ぐための封止膜１及び保冷カーテン３，３の側端縁とショーケース側板１８との間の隙間１９を塞ぐための封止膜１ａが採用される。
【００１５】
封止膜１は保冷カーテン３とは別の狭幅平板状の部材からなり、図３に示すようにその内面側には連結部材２０が設けられている。この封止膜１は封止時には図３に示すように、隣接した保冷カーテン３，３の側縁２１，２１に固着されている連結部材２２，２２に連結される。なお、この連結部材２２，２２の表面位置は保冷カーテン３の表面位置と同一レベルにある。このため、連結部材２２，２２が保冷カーテン３，３に固着されていても表面は面一のため保冷カーテン３，３は円滑にローラ機構部７の巻回ローラ８に巻き取りが可能になる。この連結部材２０，２２としては、例えば、公知の市販の面ファスナが用いられる。面ファスナは産業界や日常生活の各分野において広く使用され、その種類も多く、比較的安価に入手できる。
【００１６】
図１及び図２に示すように、隙間封止手段２は、ショーケース５の開口部１６の下部の位置２３に固定されるブラケット２４と、これに枢支される巻回ローラ２５と、これを駆動するための図略の駆動手段と、巻回ローラ２５等を収納保護するためのケース２６等とからなる。不使用時において封止膜１は巻回ローラ２５に巻き取られているが、必要時には巻回ローラ２５から引き出され、そのまま適宜上方位置に引き上げられ、その連結部材２０を保冷カーテン３，３の連結部材２２，２２に重ね合わせ、封止膜１を保冷カーテン３，３側に手で押圧し、互いの連結部材２０，２２により連結される。以上の簡単な操作により封止膜１の取付け作業が行われる。なお、封止膜１の取り外しは封止膜と保冷カーテン３，３との連結を解除したのち巻回ローラ２５を作動すればよく、これにより簡単に巻回されて収納される。以上のように、封止膜１は保冷カーテン３と平坦状態で重ね合わせ保冷カーテン３と連結される。特に、下方から封止膜１を引き上げて隙間を封止するためショーケース５の下方の隙間が完全に塞がれ、冷気の漏洩が完全に防止されると共に、封止形状も常に良好に保持され外観美の向上が図れる。
【００１７】
図４は封止膜１ａによる封止形態を示すものである。この場合も封止膜１ａは前記の封止膜１と同じく保冷カーテン３の表面に沿って平坦に配置される。このためには図示のようにショーケース側板１８側にＬ型ブラケット２７を設ける必要がある。即ち、ショーケース側板１８の側面にＬ型ブラケット２７を固定し、そのブラケット２７の前面に連結部材２８を固着する。この連結部材２８の表面の位置は保冷カーテン３の側縁２１に固定されている連結部材２２と同一のレベル位置にする。これにより封止膜１ａの連結部材２０が保冷カーテン３の側縁２１の連結部材２２とＬ型ブラケット２７の連結部材２８に重なり、手で封止膜１ａを押圧することにより保冷カーテン３とショーケース側板１８とに封止膜１ａが連結し隙間１９は平坦な封止膜１ａにより封止される。なお、この封止膜１ａも前記した封止膜１と同じく下方から引き上げられて連結されるものであり、かつ前記のものと同じく平坦な状態で重ね合わせるため外観美がよく、かつ連結性もよく封止性の向上も図れる。
【００１８】
図５は保冷カーテン３とショーケース側板１８との間の隙間１９を封止する封止膜１ａの別の実施の形態で示す。この封止膜１ａ自体の構造は前記の図４に示した封止膜１ａと同様であるが、その取付け方が相違する。この実施の形態の場合にはショーケース側板１８側には前記のようなＬ型ブラケット２７が設けられていない。このため、封止膜１ａは直接ショーケース側板１８に連結される。即ち、図示のように封止膜１ａは折り曲げられた状態にショーケース側板１８側に連結される。具体的には、ショーケース側板１８の内面側に固着されている連結部材２９に封止膜１ａは連結される。この場合でも保冷カーテン３とショーケース側板１８との間の隙間１９は完全に封止される。
【００１９】
以上のように、本発明では、図２の開口部１６の下部の位置２３に配置されている隙間封止手段２の巻回ローラ２５から封止膜１，１ａを引き上げて保冷カーテン３やショーケース側板１８の連結部材２２，２８，２９にその連結部材２２を手で押し当てて連結して行う点に特徴があり、連結の確実化が図られ、隙間１７，１９の封止が完全に行われる。この事は従来の上方から封止膜的のものを引き下げて隙間を塞ぐものに較べて封止性が高く、特に下方の封止が確実にでき封止の完全化が図れる。また、隙間封止手段２の配置される部位には障害物がなく自由な配置ができ、取付性、操作性の向上が図れる。
【００２０】
以上の説明において、保冷カーテン３の封止時における係止として係止手段１０を採用したが、これに限定するものでなく、磁力を用いた係止手段も当然採用される。また、封止膜１，１ａを引き上げるためにその上端側には引き上げ用の係止具（図略）を設けた方が好ましい。
【００２１】
【発明の効果】
本発明によれば、従来技術の問題点は全て解決され軽量、操作性向上（操作軽快、操作単純）、騒音皆無、ガイドレール無し、外観美向上、保全性向上、隙間の封止性向上（保冷性向上）が図れ、かつ低価格化が図れ、これ等の相乗効果により設備投資効率が大幅に向上する効果が上げられる。
【図面の簡単な説明】
【図１】本発明の保冷シャッタ装置の全体構造を示す正面図。
【図２】図１の部分側面図。
【図３】隣接する保冷カーテン間の隙間を封止膜で封止する状態を示す模式的部分断面図。
【図４】保冷カーテンの側端縁とショーケース側板との間の隙間を封止膜で封止する状態を示す模式的部分断面図。
【図５】保冷ンーテンの側端縁とショーケース側板との間の隙間を封止膜で封止する状態を示す模式的部分断面図。
【符号の説明】
１　　封止膜
１ａ　封止膜
２　　隙間封止手段
３　　保冷カーテン
４　　保冷シャッタ部
５　　ショーケース（食品陳列用冷凍冷蔵手段ショーケース）
６　　ブラケット
７　　ローラ機構部
８　　巻回ローラ
９　　ケース
１０　係止手段
１１　案内線
１２　手摺り部
１３　誘導線
１４　誘導線
１５　プルポール
１６　開口部
１７　隙間
１８　ショーケース側板
１９　隙間
２０　連結部材
２１　側縁
２２　連結部材
２３　下部の位置
２４　ブラケット
２５　巻回ローラ
２６　ケース
２７　Ｌ型ブラケット
２８　連結部材
２９　連結部材
【図１】
2004097578.tif 000003
【図２】
2004097578.tif 000004
【図３】
2004097578.tif 000005
【図４】
2004097578.tif 000006
【図５】
2004097578.tif 000007
【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
食品陳列用冷凍冷蔵多段ショーケース（以下、ショーケースと略称する）の前面の開口部の上部に配置されるローラ機構部とこれにより巻き出し巻き込みされて前記開口部を開閉する保冷カーテンとを備える保冷シャッタ部と、隣接する前記保冷カーテン間及び前記保冷カーテンとショーケース側板との間の隙間を封止する隙間封止手段とを有する保冷シャッタ装置であって、前記隙間封止手段は、前記隙間を覆うと共に前記保冷カーテンの側縁や前記ショーケース側板に固着した連結部材を介して着離可能に連結される封止膜と、前記隙間のショーケースの下部に配置され、前記封止膜を巻き出し巻き込むための巻回ローラとを有するものからなることを特徴とする保冷シャッタ装置。
【請求項２】
前記保冷カーテン間の隙間を封止する封止膜は、その隙間を封止する時、ショーケース下部に配置された前記巻回ローラから巻き出され、保冷カーテンの側縁表面に重ね合わせ連結部材を介して連結することを特徴とする請求項１に記載の保冷シャッタ装置。
【請求項３】
前記保冷カーテンの側縁とショーケース側板との間の隙間を封止する封止膜は、その隙間を封止する時、ショーケース下部に配置された前記巻回ローラから巻き出され、保冷カーテンの側縁表面及びショーケース側板に重ね合わせ連結部材を介して連結することを特徴とする請求項１に記載の保冷シャッタ装置。
【請求項４】
前記保冷カーテンの側縁表面に固着した連結部材の表面位置を該保冷カーテンの他の部分の表面位置と同一レベルかそれ以下にしたことを特徴とする請求項１乃至３のいずれかに記載の保冷シャッタ装置。
【手続補正２】
【補正対象書類名】明細書
【補正対象項目名】０００７
【補正方法】変更
【補正の内容】
【０００７】
また、本発明の請求項３の保冷シャッタ装置における封止膜は、保冷カーテンの側縁とショーケース側板との間の隙間を封止する時、ショーケース下部に配置された巻回ローラから巻き出され、保冷カーテンの側縁表面及びショーケース側板に重ね合わせ連結部材を介して連結することを特徴とする。この場合の封止膜も前記請求項２における封止膜と同様に保冷カーテンの側縁表面及びショーケース側板に重ね合わせ連結部材を介して連結されるため、封止性、取付性の向上が図れると共に外観美の向上が図れる。
また、請求項４の保冷シャッタ装置は、前記保冷カーテンの側縁表面に固着した連結部材の表面位置を該保冷カーテンの他の部分の表面位置と同一レベルかそれ以下にしたことを特徴とする。連結部材の表面位置を保冷カーテンの他の部分の表面位置と同一レベルかそれ以下にすることにより、連結部材が冷却カーテンに固着されていても、その表面は面一になるため、保冷カーテンはローラ機構部の巻回ローラに円滑に巻き取られる。